(57)【要約】【課題】本発明は、編集作業の効率を格段的に向上させる。【解決手段】本発明は、モニタに編集対象の複数の動画像として複数の静止画像を並べて表示し、静止画像上での動画像の編集開始点及び編集終了点の指定に応じて開始点指示子及び終了点指示子と編集開始点及び編集終了点間の単位画像とを表示し、開始点指示子及び又は終了点指示子の移動の指示に応じて編集開始点及び又は編集終了点を変更し、開始点指示子又は終了点指示子の削除の指示に応じて対応する動画像の編集開始点及び編集終了点間を削除し、開始点指示子又は終了点指示子対応する単位画像を消去する。編集対象の動画像の内容を把握させて編集開始点及び又は編集終了点の指定の作業時間を短縮化でき、編集開始点及び編集終了点を容易に変更でき、動画像の編集開始点及び編集終了点間や開始点指示子又は終了点指示子及び単位画像も容易に消去でき、編集作業の効率を格段的に向上し得る。【選択図】図９
2008182765.tif 000002
【特許請求の範囲】
【請求項１】
モニタに対し、一連の単位画像により形成される編集対象の複数の動画像として、所定の単位画像数分の長さの複数の静止画像を並べて表示する制御手段と、
上記モニタに対し編集対象の複数の上記動画像として表示される複数の上記静止画像上で上記動画像の編集開始点及び編集終了点を指定するために用いられる編集点指定手段と
を具え、
上記制御手段は、
上記モニタに対し編集対象の複数の上記動画像として複数の上記静止画像を並べて表示している状態で、上記編集点指定手段を介して上記静止画像上で上記動画像の上記編集開始点及び又は編集終了点が指定されると、当該指定された上記編集開始点及び又は編集終了点を示す開始点指示子及び又は終了点指示子を上記モニタに表示すると共に、当該モニタに対し上記動画像の上記指定された上記編集開始点及び編集終了点間の少なくとも１の上記単位画像を表示し、上記モニタに対し上記開始点指示子及び又は終了点指示子を表示している状態で、上記編集点指定手段を介して上記開始点指示子及び又は終了点指示子を移動させるように指示されると、当該開始点指示子及び又は終了点指示子を移動させると共に、当該開始点指示子及び又は終了点指示子の移動位置に応じて上記編集開始点及び又は編集終了点を変更し、上記モニタに対し上記開始点指示子及び又は終了点指示子を表示している状態で、上記編集点指定手段を介して上記開始点指示子又は終了点指示子が指定され、かつ所定の操作キーの操作に応じて削除命令が入力されると、当該指定された上記開始点指示子又は終了点指示子に対応する上記動画像の上記編集開始点及び編集終了点間を削除すると共に、上記指定された上記開始点指示子又は終了点指示子、及び当該指定された上記開始点指示子又は終了点指示子に対応する上記単位画像を上記モニタから消去する
画像編集装置。
【請求項２】
上記制御手段は、
上記モニタに表示した上記開始点指示子及び又は終了点指示子の移動位置に応じて上記編集開始点及び又は編集終了点を変更すると、上記モニタに対し上記動画像の変更前の上記編集開始点及び編集終了点間の少なくとも１の上記単位画像に代えて当該動画像の変更した上記編集開始点及び編集終了点間の少なくとも１の上記単位画像を表示する
請求項１に記載の画像編集装置。
【請求項３】
上記制御手段は、
上記モニタに対し編集対象の複数の上記動画像として複数の上記静止画像を並べて表示すると共に、編集対象の上記動画像に対応する音声の音声波形を上記静止画像の時間軸方向に対応させて表示し、上記モニタに対し上記開始点指示子及び又は終了点指示子を表示している状態で、上記編集点指定手段を介して上記開始点指示子又は終了点指示子が指定され、かつ上記削除命令が入力されると、当該指定された上記開始点指示子又は終了点指示子に対応する上記動画像の上記編集開始点及び編集終了点間と共に、上記音声の当該編集開始点及び編集終了点間に対応する部分も削除する
請求項２に記載の画像編集装置。
【請求項４】
上記制御手段は、
再生要求に応じて上記モニタに対し、上記静止画像の連続する１画面分の画像を順次切り換えて表示する
請求項３に記載の画像編集装置。
【請求項５】
上記制御手段は、
上記再生要求に応じて、上記モニタに対する上記静止画像の上記１画面分の画像の切り換え表示に合わせるように上記音声を間欠的に出力する
請求項４に記載の画像編集装置。
【請求項６】
モニタに対し、一連の単位画像により形成される編集対象の複数の動画像として、所定の単位画像数分の長さの複数の静止画像を並べて表示する静止画像表示ステップと、
上記モニタに対し編集対象の複数の上記動画像として複数の上記静止画像を並べて表示している状態で、当該静止画像上で上記動画像の編集開始点及び編集終了点を指定するために用いられる編集点指定手段を介して上記静止画像上で上記動画像の上記編集開始点及び又は編集終了点が指定されると、当該指定された上記編集開始点及び又は編集終了点を示す開始点指示子及び又は終了点指示子を上記モニタに表示すると共に、当該モニタに対し上記動画像の上記指定された上記編集開始点及び編集終了点間の少なくとも１の上記単位画像を表示する指示子及び単位画像表示ステップと、
上記モニタに対し上記開始点指示子及び又は終了点指示子を表示している状態で、上記編集点指定手段を介して上記開始点指示子及び又は終了点指示子を移動させるように指示されると、当該開始点指示子及び又は終了点指示子を移動させると共に、当該開始点指示子及び又は終了点指示子の移動位置に応じて上記編集開始点及び又は編集終了点を変更し、上記モニタに対し上記開始点指示子及び又は終了点指示子を表示している状態で、上記編集点指定手段を介して上記開始点指示子又は終了点指示子が指定され、かつ所定の操作キーの操作に応じて削除命令が入力されると、当該指定された上記開始点指示子又は終了点指示子に対応する上記動画像の上記編集開始点及び編集終了点間を削除すると共に、上記指定された上記開始点指示子又は終了点指示子、及び当該指定された上記開始点指示子又は終了点指示子に対応する上記単位画像を上記モニタから消去する変更削除ステップと
を具える画像編集方法。
【請求項７】
上記変更削除ステップは、
上記モニタに表示した上記開始点指示子及び又は終了点指示子の移動位置に応じて上記編集開始点及び又は編集終了点を変更すると、上記モニタに対し上記動画像の変更前の上記編集開始点及び編集終了点間の少なくとも１の上記単位画像に代えて当該動画像の変更した上記編集開始点及び編集終了点間の少なくとも１の上記単位画像を表示する
請求項６に記載の画像編集方法。
【請求項８】
上記指示子及び単位画像表示ステップは、
上記モニタに対し編集対象の複数の上記動画像として複数の上記静止画像を並べて表示すると共に、編集対象の上記動画像に対応する音声の音声波形を上記静止画像の時間軸方向に対応させて表示し、
上記変更削除ステップは、
上記モニタに対し上記開始点指示子及び又は終了点指示子を表示している状態で、上記編集点指定手段を介して上記開始点指示子又は終了点指示子が指定され、かつ上記削除命令が入力されると、当該指定された上記開始点指示子又は終了点指示子に対応する上記動画像の上記編集開始点及び編集終了点間と共に、上記音声の当該編集開始点及び編集終了点間に対応する部分も削除する
請求項７に記載の画像編集方法。
【請求項９】
再生要求に応じて上記モニタに対し、上記静止画像の連続する１画面分の画像を順次切り換えて表示する静止画像再生ステップと、
再生要求に応じて上記モニタに対し、上記動画像の上記編集開始点から編集終了点までに対応する上記静止画像の上記連続する１画面分の上記画像を順次切り換えて表示する編集点間再生ステップと
を具える請求項８に記載の画像編集方法。
【請求項１０】
上記静止画像再生ステップは、
上記再生要求に応じて、上記モニタに対する上記静止画像の上記１画面分の画像の切り換え表示に合わせるように上記音声を間欠的に出力し、
上記編集点間再生ステップは、
上記再生要求に応じて、上記モニタに対する上記動画像の上記編集開始点から編集終了点までに対応する上記静止画像の上記１画面分の画像の切り換え表示に合わせるように、上記動画像の上記編集開始点から編集終了点までに対応する上記音声を間欠的に出力する
請求項９に記載の画像編集方法。
【発明の詳細な説明】
【技術分野】
【０００１】
本発明は画像編集装置及びその方法に関し、例えば動画像素材から所望するシーン（以下、これを動画像クリップと呼ぶ）を選定するようにして当該動画像素材を編集する画像編集装置に適用して好適なものである。
【背景技術】
【０００２】
従来、この種の画像編集装置として、アナログ方式の２台のビデオテープレコーダを用いるものがある。
【０００３】
かかる構成の画像編集装置においては、動画像素材としてビデオ信号が予め記録されたビデオテープ（以下、これを素材用ビデオテープと呼ぶ）を一方のビデオテープレコーダを用いて再生し、当該再生して得られたビデオ信号に基づく動画像をモニタに表示させる。
【０００４】
そしてこの画像編集装置においては、オペレータがこのモニタに表示された動画像を目視しながら動画像クリップを選定し、当該選定した動画像クリップに応じたビデオ信号（以下、これをクリップビデオ信号と呼ぶ）を他方のビデオテープレコーダを用いて他のビデオテープ（以下、これをクリップ用ビデオテープと呼ぶ）に記録する。
【０００５】
このようにしてこの画像編集装置においては、動画像クリップの選定及び当該選定した動画像クリップに応じたクリップビデオ信号の記録からなる編集処理を順次繰り返すことにより複数の動画像クリップを記録したクリップ用ビデオテープを作成することができる。
【０００６】
ところでこの画像編集装置においては、クリップ用ビデオテープから順次再生するクリップビデオ信号を例えば所定の放送用番組の動画像としてそのまま放送し得るように、当該クリップ用ビデオテープにこれら各クリップビデオ信号を所定の順番に従って記録する必要がある。
【０００７】
このためこの画像編集装置においては、一方のビデオテープレコーダを用いて素材用ビデオテープに対する早送りや巻き戻しの動作が必要になる場合があると共に、複数の素材用ビデオテープを用いて動画像クリップを作成するような場合には、素材用ビデオテープを順次交換して一方のビデオテープレコーダを用いて再生する必要があり、編集作業が煩雑になることがあった。
【０００８】
このため近年では、動画像素材の記録媒体として例えばハードディスク等の大容量でマルチアクセス性の高いノンリニアメディアが用いられ、かつグラフィカルユーザインターフェイスが使用された画像編集装置がある。
【０００９】
かかる画像編集装置においては、ノンリニアメディアを用いたことから、これに予め記録された複数の動画像素材に対してランダムにアクセスすることができ、従って上述した画像編集装置のような一方のビデオテープレコーダにおける素材用ビデオテープの早送りや巻き戻しの動作や、当該素材用ビデオテープの交換作業等のような煩雑さを伴う作業が不要となる利点がある。
【００１０】
またこの画像編集装置においては、グラフィカルユーザインターフェイスを使用することから、モニタ表示させた動画像上で編集開始点（以下、これをマークイン点と呼ぶ）及び編集終了点（以下、これをマークアウト点と呼ぶ）を指定するようにして順次ランダムに動画像クリップ（すなわちマークイン点及びマークアウト点間の動画像のシーン）を選定し、当該選定した動画像クリップの順番を必要に応じてモニタ上で決定することができ、かくして編集作業の効率を向上し得る利点がある。
【発明の開示】
【発明が解決しようとする課題】
【００１１】
ところでかかる構成の画像編集装置においては、順次１種類の動画像をモニタ表示させてこの動画像から動画像クリップを選定するようになされているため、複数の動画像素材を編集する場合には、モニタ表示させる動画像を順次換える必要がある。
【００１２】
ところがかかる画像編集装置においては、例えば１つの撮像対象に対してアングルを変えただけのような複数の動画像素材から少数の動画像クリップを選定するような場合には、これら各動画像を順次モニタ表示させてその内容を把握する作業が必要となることから、このような内容の把握のための作業と実際の編集作業とにおいて１つの動画像を複数回に亘ってモニタ表示させる場合がある。
【００１３】
従ってかかる画像編集装置においては、例えばニュース番組のようにオンエア時間の直前に、取材によって１つの撮像対象に対する複数の動画像素材が与えられ、これらをこのオンエアまでの比較的短い時間内で編集するような場合には、モニタ表示させる動画像を順次換えることにより編集作業が煩雑となり、このような短い時間内の編集作業には容易には対応し難いことから、編集作業の効率を向上させるにはいまだ不十分な問題があった。
【００１４】
本発明は以上の点を考慮してなされたもので、編集作業の効率を格段的に向上し得る画像編集装置及びその方法を提案しようとするものである。
【課題を解決するための手段】
【００１５】
かかる課題を解決するため本発明においては、モニタに対し、一連の単位画像により形成される編集対象の複数の動画像として、所定の単位画像数分の長さの複数の静止画像を並べて表示し、当該モニタに対し編集対象の複数の動画像として複数の静止画像を並べて表示している状態で、当該静止画像上で動画像の編集開始点及び編集終了点を指定するために用いられる編集点指定手段を介して静止画像上で動画像の編集開始点及び又は編集終了点が指定されると、当該指定された編集開始点及び又は編集終了点を示す開始点指示子及び又は終了点指示子をモニタに表示すると共に、当該モニタに対し動画像の指定された編集開始点及び編集終了点間の少なくとも１の単位画像を表示し、モニタに対し開始点指示子及び又は終了点指示子を表示している状態で、編集点指定手段を介して開始点指示子及び又は終了点指示子を移動させるように指示されると、当該開始点指示子及び又は終了点指示子を移動させると共に、当該開始点指示子及び又は終了点指示子の移動位置に応じて編集開始点及び又は編集終了点を変更し、モニタに対し開始点指示子及び又は終了点指示子を表示している状態で、編集点指定手段を介して開始点指示子又は終了点指示子が指定され、かつ所定の操作キーの操作に応じて削除命令が入力されると、当該指定された開始点指示子又は終了点指示子に対応する動画像の編集開始点及び編集終了点間を削除すると共に、指定された開始点指示子又は終了点指示子、及び当該指定された開始点指示子又は終了点指示子に対応する単位画像をモニタから消去するようにした。
【００１６】
従って、本発明は、編集対象の動画像の内容を把握させて編集開始点及び又は編集終了点を指定させるまでの作業時間を大幅に短縮化することができると共に、当該編集開始点及び又は編集終了点を容易に変更させることもでき、さらに動画像の編集開始点及び編集終了点間を容易に削除させることができると共に、モニタから、その動画像に対応する開始点指示子又は終了点指示子や単位画像をも容易に消去させることができる。
【発明の効果】
【００１７】
本発明によれば、モニタに対し、一連の単位画像により形成される編集対象の複数の動画像として、所定の単位画像数分の長さの複数の静止画像を並べて表示し、当該モニタに対し編集対象の複数の動画像として複数の静止画像を並べて表示している状態で、当該静止画像上で動画像の編集開始点及び編集終了点を指定するために用いられる編集点指定手段を介して静止画像上で動画像の編集開始点及び又は編集終了点が指定されると、当該指定された編集開始点及び又は編集終了点を示す開始点指示子及び又は終了点指示子をモニタに表示すると共に、当該モニタに対し動画像の指定された編集開始点及び編集終了点間の少なくとも１の単位画像を表示し、モニタに対し開始点指示子及び又は終了点指示子を表示している状態で、編集点指定手段を介して開始点指示子及び又は終了点指示子を移動させるように指示されると、当該開始点指示子及び又は終了点指示子を移動させると共に、当該開始点指示子及び又は終了点指示子の移動位置に応じて編集開始点及び又は編集終了点を変更し、モニタに対し開始点指示子及び又は終了点指示子を表示している状態で、編集点指定手段を介して開始点指示子又は終了点指示子が指定され、かつ所定の操作キーの操作に応じて削除命令が入力されると、当該指定された開始点指示子又は終了点指示子に対応する動画像の編集開始点及び編集終了点間を削除すると共に、指定された開始点指示子又は終了点指示子、及び当該指定された開始点指示子又は終了点指示子に対応する単位画像をモニタから消去するようにしたことにより、編集対象の動画像の内容を把握させて編集開始点及び又は編集終了点を指定させるまでの作業時間を大幅に短縮化することができると共に、当該編集開始点及び又は編集終了点を容易に変更させることもでき、さらに動画像の編集開始点及び編集終了点間を容易に削除させることができると共に、モニタから、その動画像に対応する開始点指示子又は終了点指示子や単位画像をも容易に消去させることができ、かくして編集作業の効率を格段的に向上し得る画像編集装置及びその方法を実現することができる。
【発明を実施するための最良の形態】
【００１８】
以下図面について、本発明の一実施の形態を詳述する。
【００１９】
（１）ビデオブラウザ
図１に示すように、動画像データに基づく一連の動画像は、各時点のフレーム画像を時間軸方向に順次並べたものと考えることができる。
【００２０】
実際上例えばＮＴＳＣ（National Television System Committee）方式では、ビデオ信号のフレーム周波数が30〔Hz〕程度であり、従って動画像は、１秒間に30枚のフレーム画像から構成される。
【００２１】
ここで動画像を構成するビデオ映像群１に対し、ｎ枚のフレーム画像２毎に垂直方向のスリット（以下、これを垂直スリットと呼ぶ）３を順次一方向に移動させながら抽出し、これら抽出した垂直スリット３を一方向に順次並べて静止画像（以下、これをビデオブラウザと呼ぶ）４を作成する場合について考える。
【００２２】
因みに垂直スリット３の抽出位置は、画面の左端部から右方向に移動し、画面の右端部に達したときには再び画面の左端部から右方向に移動させるものとする。
【００２３】
例えばｎ＝１、フレーム画像２の水平方向をＸドットとし、垂直スリット３のスリット幅をΔＸドットとすると、次式
【００２４】
【数１】
2008182765.tif 000003
【００２５】
で与えられるｆ枚のフレーム画像毎にスリット位置が画面の右端部から左端部に移動し、かつこのとき得られた各垂直スリット３によって水平方向がＸドットの１画面分のビデオブラウザ４が作成される。
【００２６】
そしてこのビデオブラウザ４は、ｆ枚分のフレーム画像２に基づく動画像の内容を圧縮した静止画像として認識することができる。
【００２７】
従って動画像素材の最初から最後までに渡ってこのようなビデオブラウザ４を作成することによって、当該ビデオブラウザ４に基づいて動画像素材の全体的な流れを短時間にかつ精度良く認識することができる。
【００２８】
（２）画像編集装置の構成
ここで図２は、本発明による画像編集装置１０を示し、キーボード１１及びマウス１２が入出力回路１３及びシステムバス１４を順次介してホストコンピュータ１５に接続されている。これによりオペレータがこれらキーボード１１及びマウス１２を介してホストコンピュータ１５に各種コマンドを与えることができるようになされている。
【００２９】
ホストコンピュータ１５においては、素材の取込みモード時、オペレータから与えられるコマンドに基づいてスイッチ回路１６を制御することにより、当該スイッチ回路１６に接続された複数の電送回線１７Ａ〜１７Ｎ及び複数のビデオテープレコーダ１８Ａ〜１８Ｎのなかから１つのビデオ信号供給源を選択し、当該ビデオ信号供給源から供給されるビデオ信号Ｓ１Ａ〜Ｓ１Ｎ、Ｓ２Ａ〜Ｓ２Ｎをアナログ・ディジタル変換回路１９に送出させる。
【００３０】
アナログ・ディジタル変換回路１９は、供給されるビデオ信号Ｓ１Ａ〜Ｓ１Ｎ、Ｓ２Ａ〜Ｓ２Ｎを順次ディジタル変換し、かくして得られた動画像データＤ１を順次フレーム単位で第１のＶＲＡＭ（Video Random Access Memory）２０の第１の記憶領域（実際の表示画面に対応して形成されている）に格納する。
【００３１】
そしてこの第１のＶＲＡＭ２０に格納されたフレーム単位の動画像データＤ１は、システムバス１４を介してイメージプロセッサ２１によって順次読み出され、当該イメージプロセッサ２１の動画像データ圧縮部２１Ａにより例えばＪＰＥＧ（Joint Photographic Experts Group）等の所定の規格で圧縮符号化される。
【００３２】
またこの圧縮符号化された動画像データＤ１は、システムバス１４を介して例えばＲＡＩＤ（Redundaut Array of Inexpensive Disks）構成の外部記憶装置２２に与えられ、ホストコンピュータ１５の制御のもとに、新たなタイムコードが付加されると共にファイル化されて当該外部記憶装置２２に格納される。
【００３３】
さらにイメージプロセッサ２１のスリットデータ読取り部２１Ｂは、このとき入力スリット移動部２１Ｃの制御のもとに、第１のＶＲＡＭ２０に順次書き込まれた１フレーム分の動画像データＤ１から抽出位置を順次一方向に移動させながら上述した垂直スリット３（図１）のデータ（以下、これをスリットデータと呼ぶ）をサンプリングして抽出する。
【００３４】
この抽出されたスリットデータは、イメージプロセッサ２１の出力スリット移動部２１Ｄの制御のもとに、スリットデータ書込み部２１Ｅにより書き込み位置を順次一方向に移動させながら第２のＶＲＡＭ２３の第１の記憶領域（実際の表示画面と対応して形成されている）に順次書き込まれる。
【００３５】
そして第２のＶＲＡＭ２３に１画面分のスリットデータが書き込まれる毎に、これがホストコンピュータ１５の制御のもとに読み出され、システムバス１４を介して外部記憶装置２２に与えられることにより、順次その動画像データＤ１のファイル（以下、これを動画像データファイルと呼ぶ）を管理するデータベースの１つの要素として外部記憶装置２２に格納される。
【００３６】
因みにスイッチ回路１６を制御することにより選択した１つのビデオ信号供給源からは、ビデオ信号Ｓ１Ａ〜Ｓ１Ｎ、Ｓ２Ａ〜Ｓ２Ｎに対応するオーディオ信号Ｓ３Ａ〜Ｓ３Ｎ、Ｓ４Ａ〜Ｓ４Ｎも供給され、これをアナログ・ディジタル変換回路１９を介して順次ディジタル変換し、得られた音声データＤ２を順次上述したフレーム単位の動画像データＤ１に対応する所定単位で第１のＶＲＡＭ２０の第２の記憶領域（第１の記憶領域に対応して形成されている）に格納する。
【００３７】
そしてこの第１のＶＲＡＭ２０に格納された所定単位の音声データＤ２は、システムバス１４を介してイメージプロセッサ２１によって順次読み出され、当該イメージプロセッサ２１の音声データ圧縮部２１Ｆにより所定の符号化方式によって圧縮符号化される。
【００３８】
またこの圧縮符号化された音声データＤ２は、システムバス１４を介して外部記憶装置２２に与えられ、ホストコンピュータ１５の制御のもとにファイル化されて当該外部記憶装置２２に格納される。そしてホストコンピュータ１５は、この音声データＤ２のファイルの情報を対応する動画像データファイルのデータベースの１つの要素として外部記憶装置２２に格納させる。
【００３９】
さらにイメージプロセッサ２１の音声データ加重平均処理部２１Ｇは、このとき第１のＶＲＡＭ２０に順次書き込まれた音声データＤ２を読み出して加重平均処理を施すようにして当該音声データＤ２に基づく音声波形の波形データを生成し、この波形データを第２のＶＲＡＭ２３の第２の記憶領域（第１の記憶領域に対応して形成されている）に順次書き込む。
【００４０】
そして第２のＶＲＡＭ２３に所定単位分の波形データが書き込まれる毎に、これがホストコンピュータ１５の制御のもとに読み出され、システムバス１４を介して外部記憶装置２２に与えられることにより対応する動画像データファイルのデータベースの１つの要素としてこの外部記憶装置２２に格納される。
【００４１】
このようにしてこの画像編集装置１０では、スイッチ回路１６に複数のビデオ信号供給源から供給されるビデオ信号Ｓ１Ａ〜Ｓ１Ｎ、Ｓ２Ａ〜Ｓ２Ｎ及びオーディオ信号Ｓ３Ａ〜Ｓ３Ｎ、Ｓ４Ａ〜Ｓ４Ｎのなかから指定された１つのビデオ信号Ｓ１Ａ〜Ｓ１Ｎ、Ｓ２Ａ〜Ｓ２Ｎ及び対応するオーディオ信号Ｓ３Ａ〜Ｓ３Ｎ、Ｓ４Ａ〜Ｓ４Ｎに基づく動画像及び音声の圧縮符号化データと、ビデオブラウザの画像データ及び音声波形の波形データ等の各種データからなるデータベースとを生成し、これらを外部記憶装置２２に記憶保持させることができるようになされている。
【００４２】
一方ホストコンピュータ１５は、表示モード時、外部記憶装置２２に予め格納されている画像データを読み出し、これをイメージプロセッサ２１に与える。
【００４３】
イメージプロセッサ２１は、外部記憶装置２２から与えられた画像データに基づいて、所定画面をモニタ表示させるための画像データ（以下、これを表示画像データと呼ぶ）を生成し、これを第３のＶＲＡＭ２４に送出して格納する。
【００４４】
このとき第３のＶＲＡＭ２４に格納された表示画像データは、所定周期で順次読み出され、ディジタル・アナログ変換回路２５においてアナログ変換された後、モニタ２６に送出される。この結果モニタ２６には、図３に示すような編集画面３０が表示される。そしてこの編集画面３０上には、イメージプロセッサ２１の制御のもとに、マウス１２の操作に応動してこの編集画面３０内を移動するカーソル（図示せず）が表示される。
【００４５】
ここで編集画面３０では、上段にメニューバー３１が表示され、カーソルをこのメニューバー３１のファイル選択領域３１Ａ上に合わせてマウス１２をクリックすることにより、図４に示すように、ファイルディレクトリウインド３２内にファイル選択メニュー３３が表示される。
【００４６】
この状態においてカーソルがファイル選択メニュー３３のファイル一覧選択領域３３Ａ上に合わせられてマウス１２がクリックされると、外部記憶装置２２にこれに格納された複数の動画像データファイルのファイル名のデータ（以下、これをファイル名データと呼ぶ）を読み出させ、これをイメージプロセッサ２１に与える。
【００４７】
そしてイメージプロセッサ２１は、これらファイル名データに基づいて表示画像データを生成し、これを第３のＶＲＡＭ２４に送出して格納する。
【００４８】
この結果編集画面３０では、図５に示すように、ファイルディレクトリウインド３２内に複数の動画像データファイルのファイル名からなるファイル一覧３４が表示され、かくしてこのファイル一覧３４のファイル名を選択指定することにより編集対象の複数の動画像素材を選択指定することができる。
【００４９】
そして編集対象の複数の動画像素材が選択指定されると、外部記憶装置２２に対応するビデオブラウザの画像データ及び音声波形の波形データを読み出させ、これらをシステムバス１４を介してイメージプロセッサ２１に与える。
【００５０】
このときイメージプロセッサ２１は、縮小画面データ形成部２１Ｈにおいて、供給されるビデオブラウザの画像データを間引きすることにより縮小されたビデオブラウザの画像データを生成すると共に、供給される音声波形の波形データを間引きすることにより縮小された音声波形の波形データを生成した後、これら生成した画像データ及び波形データに基づいて表示画像データを生成し、この表示画像データを第３のＶＲＡＭ２４に送出して格納する。
【００５１】
この結果編集画面３０では、ビデオブラウザウインド３５内に、指定された動画像素材に対応するビデオブラウザ３６Ａ〜３６Ｄが複数段に並べられて表示されると共に、各ビデオブラウザ３６Ａ〜３６Ｄ間にこれら各ビデオブラウザ３６Ａ〜３６Ｄの時間軸方向に対応させた音声波形３７Ａ〜３７Ｄと、当該ビデオブラウザ３６Ａ〜３６Ｄの先頭及び最後尾のタイムコードとが表示され、また各ビデオブラウザ３６Ａ〜３６Ｄの左上段のファイル名表示部３８Ａ〜３８Ｅに対応する動画像データファイルのファイル名が表示される。
【００５２】
因みにこの編集画面３０では、マウス操作によりビデオブラウザウインド３５内のスクロールバー３９を操作することにより、ビデオブラウザ３６Ａ〜３６Ｄ等をスクロールさせ、そのとき表示されていない部分のビデオブラウザ３６Ａ〜３６Ｄ等をビデオブラウザウインド３５内に表示させることができる。
【００５３】
そしてこの編集画面３０では、カーソルをいずれかのビデオブラウザ３６Ａ〜３６Ｄの任意の位置に合わせてマウス１２をクリックすることにより、図６に示すように、この編集画面３０内に素材プレビュウインド４０を表示させると共に、当該素材プレビュウインド４０の素材表示ウインド４１内にそのビデオブラウザ３６Ａ〜３６Ｄの指定された任意の位置のタイムコードのフレーム画像を表示させる。
【００５４】
この状態においてカーソルを素材プレビュウインド４０内のいずれかの第１の駒送りボタン４２Ａ、スチル再生ボタン４２Ｂ、第２の駒送りボタン４２Ｃ、停止ボタン４２Ｄ、通常再生ボタン４２Ｅ、ビデオブラウザ再生ボタン４２Ｆ上に合わせてマウス１２をクリックすることにより、その指定された任意の位置のフレーム画像から対応する動作（巻き戻し方向への駒送り、巻き戻し方向及び通常再生方向へのスチル再生、通常再生方向への駒送り、停止、通常再生、高速再生）を外部記憶装置２２に実行させることができる。
【００５５】
またこのとき素材プレビュウインド４０内のタイムコード表示部４３内に、そのフレーム画像のタイムコードを表示させると共に、当該タイムコードを再生動作に応じて変更させて表示させる。
【００５６】
因みに通常再生ボタン４２Ｅがクリックされたときには、対応する動画像データＤ１を再生することにより素材表示ウインド４１内にこの動画像データＤ１に基づく動画像を通常再生速度で表示させると共に、ビデオブラウザ再生ボタン４２Ｆがクリックされたときには、対応するビデオブラウザ３６Ａ〜３６Ｄの連続する１画面分の画像を順次再生することにより素材表示ウインド４１内にこのビデオブラウザ３６Ａ〜３６Ｄの連続する画像（以下、これをビデオブラウザ画像と呼ぶ）を表示させ、これにより動画像素材をビデオブラウザ３６Ａ〜３６Ｄの１画面を構成する垂直スリット３（図１）の本数に応じた速度で高速再生することができるようになされている。
【００５７】
またこの編集画面３０では、カーソルを素材プレビュウインド４０内のクローズボタン４４上に合わせてマウス１２をクリックすることにより、この素材プレビュウインド４０を閉じさせることができる。
【００５８】
因みにこの編集画面３０では、カーソルをファイル一覧３４のクローズボタン４５Ａ上に合わせてマウス１２をクリックすることにより、このファイル一覧３４を閉じると共に、図７に示すようにファイルディレクトリウインド３２内に素材選択メニュー４６を表示させ、この素材選択メニュー４６内のソース指定領域（図中のSource1 〜SourceN ）によってビデオブラウザウインド３５内のビデオブラウザ３６Ａ〜３６Ｄを再生のために選択指定することができるようになされている。
【００５９】
実際にカーソルをこの素材選択メニュー４６内のいずれかのソース指定領域上に合わせてマウス１２をクリックすると、編集画面３０内に素材プレビュウインド４０を表示させると共に、当該指定されたソース指定領域に対応するビデオブラウザウインド３５内のビデオブラウザ３６Ａ〜３６Ｄの先頭の１画面分の画像を素材表示ウインド４１内に表示させ、この状態において上述と同様にカーソルを第１の駒送りボタン４２Ａ、スチル再生ボタン４２Ｂ、第２の駒送りボタン４２Ｃ、停止ボタン４２Ｄ、通常再生ボタン４２Ｅ、ビデオブラウザ再生ボタン４２Ｆ上に合わせてマウス１２をクリックすることにより対応する動作を外部記憶装置２２に実行させ、かくして指定されたビデオブラウザ画像又は動画像を先頭から再生することができるようになされている。
【００６０】
また上述した動画像素材の再生時には、外部記憶装置２２から対応する圧縮符号化された音声データＤ２が再生され、これをイメージプロセッサ２１に送出して復号化し、得られた音声データＤ２をシステムバス１４を介してディジタル・アナログ変換回路４８に送出することにより、当該ディジタル・アナログ変換回路４８においてアナログ変換し、得られたオーディオ信号Ｓ３Ａ〜Ｓ３Ｎ、Ｓ４Ａ〜Ｓ４Ｎをスピーカ４９に送出することにより当該スピーカ４９からこのオーディオ信号Ｓ３Ａ〜Ｓ３Ｎ、Ｓ４Ａ〜Ｓ４Ｎに基づく音声を放音させる。
【００６１】
因みにこの音声データＤ２の再生時には、動画像素材の通常再生及び高速再生に応じて、当該音声データＤ２を通常再生及び高速再生するようになされている。
【００６２】
このようにしてこの画像編集装置１０においては、編集対象の複数の動画像素材を指定して対応するビデオブラウザ３６Ａ〜３６Ｄをモニタ２６に表示させることができると共に、これら指定した動画像素材に対応する動画像又はビデオブラウザ画像を必要に応じて表示させることができる。
【００６３】
一方ホストコンピュータ１５は、この編集画面３０においてカーソルがビデオブラウザウインド３５のマークイン／アウトボタン５１上に合わせられてマウス１２がクリックされると、編集モードに移る。
【００６４】
この状態においてカーソルをビデオブラウザ３６Ａ〜３６Ｄの所望する第１の位置に合わせてマウス１２の左ボタンをクリックすることによりマークイン点を指定することができると共に、当該ビデオブラウザ３６Ａ〜３６Ｄの所望する第２の位置（第１の位置よりも右側）に合わせてマウス１２の右ボタンをクリックすることによりマークアウト点を指定することができる。
【００６５】
そしてこの編集画面３０では、このときマークイン点及びマークアウト点が指定された位置にマークインカーソル５２及びマークアウトカーソル５３を表示させると共に、ビデオブラウザ３６Ａ〜３６Ｄの下側にマークイン点及びマークアウト点のタイムコードを表示させる。
【００６６】
この状態においてホストコンピュータ１５は、カーソルがビデオブラウザウインド３５内のアドボタン５４上に合わせられてマウス１２がクリックされると、このとき指定されたマークイン点及びマークアウト点間を動画像クリップとして確定すると共に、これに対応する音声を音声クリップとして確定することができる。
【００６７】
そして編集画面３０では、このとき確定された動画像クリップの長さに応じた枠５５Ａ〜５５Ｃをタイムラインウインド５６のベースビデオタイムライン５７に表示させ、かつ音声クリップの枠５８Ａ〜５８Ｃをベースオーディオタイムライン５９に対応させて表示させ、タイムラインウインド５６のデュレーション表示部６０にベースビデオタイムライン５７に表示させた全ての動画像クリップの全体の長さをタイムコードで表示させる。
【００６８】
またこの編集画面３０では、このときクリップ表示ウインド６１のクリップウインド６２に、図８に示すように、確定された動画像クリップの先頭のフレーム画像（マークイン点のタイムコードのフレーム画像）を表示させると共に、デュレーション表示部６３に当該動画像クリップの長さをタイムコードで表示させる。
【００６９】
さらにこのときキーボード１１を介して動画像クリップのクリップ名が入力されると、これをクリップ名表示部６４に表示させると共に、このクリップ名をタイムラインウインド５６の対応する動画像クリップ及び音声クリップの枠５５Ａ〜５５Ｃ及び５８Ａ〜５８Ｃ内にも表示させる。
【００７０】
因みにこの編集画面３０では、マウス操作によりクリップ表示ウインド６１内のスクロールバー６５を操作することにより、クリップウインド６２をスクロールさせ、そのとき表示されていない部分のクリップウインド６２をクリップ表示ウインド６１内に表示させることができる。
【００７１】
またこの編集画面３０では、タイムラインウインド５６のベースビデオタイムライン５７及びベースオーディオタイムライン５９に動画像クリップ及び音声クリップの枠５５Ａ〜５５Ｃ及び５８Ａ〜５８Ｃを確定された順番に従って左端部から順次右方向に表示させる。
【００７２】
このためタイムラインウインド５６に表示させた動画像クリップ及び音声クリップの枠５５Ａ〜５５Ｃ及び５８Ａ〜５８Ｃは、いわゆるドラッグアンドドロップと呼ばれるマウス１２の操作に応動して所望する順番位置まで移動させることができるようになされていると共に、これに伴い他の枠５５Ａ〜５５Ｃ及び５８Ａ〜５８Ｃの位置もこの移動に追従して移動させ、かくして複数の動画像クリップ及び対応する音声クリップの順番を任意に決定することができる。
【００７３】
そしてこの編集画面３０では、カーソルをタイムラインウインド５６のタイムカーソルホーム位置ボタン６６上に合わせてマウス１２をクリックすると、ベースビデオタイムライン５７からベースオーディオタイムライン５９に渡ってその左端部に棒状のタイムカーソル６７を表示させると共に、上述した素材プレビュウインド４０を表示させ、かつ素材表示ウインド４１内にベースビデオタイムライン５７に表示させた複数の動画像クリップのうち、最も左側に位置する動画像クリップに対応するビデオブサウザ画像の先頭の１画面分を表示させる。
【００７４】
この状態において上述と同様に外部記憶装置２２に再生動作を実行させることにより、タイムラインウインド５６に表示させた複数の動画像クリップに対応する動画像又はビデオブラウザ画像及び音声クリップに対応する音声を順次再生させると共に、この再生動作に連動させてタイムカーソル６７をベースビデオタイムライン５７及びベースオーディオタイムライン５９上を右方向又は左方向に移動させ、かくして再生している動画像クリップ及び対応する音声クリップの再生位置を示すようになされている。
【００７５】
このようにしてこの画像編集装置１０においては、編集モード時、マークイン点及びマークアウト点を指定することにより順次動画像クリップ及び対応する音声クリップを作成することができると共に、当該作成した動画像クリップに応じた動画像又はビデオブラウザ画像を必要に応じて表示させてこの動画像クリップを目視確認させることができるようになされている。
【００７６】
またこの編集画面３０では、カーソルをメニューバー３１のファイル選択領域３１Ａ上に合わせてマウス１２をクリックすると、ファイルディレクトリウインド３２に上述したファイル選択メニュー３３（図４）を表示させる。
【００７７】
この状態においてカーソルをこのファイル選択メニュー３３内のいずれかの新規保存指定領域３３Ｂ、上書き保存指定領域３３Ｃ又は別名保存指定領域３３Ｄ上に合わせてマウス１２をクリックすることにより、このとき作成した動画像クリップ及び対応する音声クリップのクリップ名、マークイン点及びマークアウト点のタイムコード、タイムライン上の順番等の各種情報のリスト（以下、これを編集リストと呼ぶ）を外部記憶装置２２に与えて対応する保存方法に従って記憶保持させる。
【００７８】
かくしてこの画像編集装置１０においては、この後必要に応じて外部記憶装置２２から編集リストを読み出し、当該読み出した編集リストに従ってこの外部記憶装置２２から対応する動画像クリップ及び音声クリップを順次読み出すことにより、この読み出した動画像クリップ及び音声クリップに応じた動画像及び音声を例えば放送用として使用することができるようになされている。
【００７９】
（３）ホストコンピュータの各種処理
（３−１）編集処理手順
ここで上述のような表示モード時及び編集モード時における動作は、全てホストコンピュータ１５（図２）の制御のもとに実行される。
【００８０】
実際上ホストコンピュータ１５は、表示モード時、図９に示す編集処理手順ＲＴ１をステップＳＰ１において開始し、続くステップＳＰ２において外部記憶装置２２に対応する画像データを読み出させると共に、当該画像データに基づいてイメージプロセッサ２１に表示画像データを生成させ、これを第３のＶＲＡＭ２４に書き込ませることにより、モニタ２６に編集画面３０（図３）を表示させる。
【００８１】
次いでホストコンピュータ１５は、ステップＳＰ３に進んでカーソルがメニューバー３１のファイル選択領域３１Ａに合わせられてマウス１２がクリックされたことを確認すると、外部記憶装置２２に対応する画像データを読み出させると共に、この画像データに基づいてイメージプロセッサ２１に表示画像データを生成させ、これを第３のＶＲＡＭ２４に書き込ませることにより、モニタ２６にファイル選択メニュー３３が表示されてなる編集画面３０（図４）を表示させる。
【００８２】
この状態においてホストコンピュータ１５は、カーソルがファイル一覧選択領域３３Ａ上に合わせられてマウス１２がクリックされたことを確認すると、外部記憶装置２２に複数の動画像データファイルのファイル名データを読み出させると共に、これらファイル名データに基づいてイメージプロセッサ２１に所定の表示画像データを生成させ、これを第３のＶＲＡＭ２４に書き込ませることにより、モニタ２６にファイルディレクトリウインド３２内にファイル一覧３４が表示されてなる編集画面３０（図５）を表示させる。
【００８３】
この状態においてホストコンピュータ１５は、ステップＳＰ４に進み、カーソルがビデオブラウザウインド３５のいずれかのファイル名表示部３８Ａ〜３８Ｅ上に合わせられてマウス１２がクリックされた後、カーソルがファイル一覧３４の複数のファイル名のうち、所望するファイル名上に合わせられてマウス１２がダブルクリックされると、外部記憶装置２２を制御することにより対応する動画像データファイルを検索する。
【００８４】
そしてホストコンピュータ１５は、対応する動画像データファイルを検出すると、ステップＳＰ５に進んで外部記憶装置２２に対応するビデオブラウザの画像データと、音声波形の波形データとを読み出させると共に、これら画像データ及び波形データに基づいてイメージプロセッサ２１に所定の表示画像データを生成させ、これを第３のＶＲＡＭ２４に書き込ませることにより、編集画面３０においてビデオブラウザウインド３５にビデオブラウザ３６Ａ〜３６Ｄと、対応する音声波形３７Ａ〜３７Ｄと、ファイル名と、ビデオブラウザ３６Ａ〜３６Ｄの先頭及び最後尾のタイムコードとを表示させ、このようにして所望するファイル名が指定される毎にビデオブラウザウインド３５に対応するビデオブラウザ３６Ａ〜３６Ｄ等を表示させ、かくして複数のビデオブラウザ３６Ａ〜３６Ｄ等を表示させることができる。
【００８５】
次いでホストコンピュータ１５は、ステップＳＰ６に進んでカーソルが例えばいずれかのビデオブラウザ３６Ａ〜３６Ｄの任意の位置に合わせられてマウス１２がクリックされたことを確認すると、外部記憶装置２２にこのビデオブラウザ３６Ａ〜３６Ｄのクリックされた位置のタイムコードのフレーム画像の画像データを読み出させると共に、この画像データに基づいてイメージプロセッサ２１に表示画像データを生成させ、これを第３のＶＲＡＭ２４に書き込ませることにより、編集画面３０内に素材プレビュウインド４０を表示させ、かつ素材表示ウインド４１内にこのビデオブラウザ３６Ａ〜３６Ｄのクリックされた位置のタイムコードのフレーム画像を表示させる。
【００８６】
この状態においてホストコンピュータ１５は、カーソルがいずれかの第１の駒送りボタン４２Ａ、スチル再生ボタン４２Ｂ、第２の駒送りボタン４２Ｃ、停止ボタン４２Ｄ、通常再生ボタン４２Ｅ、ビデオブラウザ再生ボタン４２Ｆ上に合わせられてマウス１２がクリックされると、外部記憶装置２２を制御することにより対応する動作を実行させ、かくして対応する動画像素材及び音声素材を指定された位置から再生させる。
【００８７】
そしてホストコンピュータ１５は、ステップＳＰ７に進んでカーソルがビデオブラウザウインド３５のマークイン／アウトボタン５１上に合わせられてマウス１２がクリックされたことを確認すると、続くステップＳＰ８に進んで編集モードに移る。
【００８８】
この状態においてホストコンピュータ１５は、カーソルがビデオブラウザ３６Ａ〜３６Ｄの任意の位置に合わせられてマウス１２の左ボタン又は右ボタンがクリックされたことをステップＳＰ９において確認すると、この後マウス１２を介して指定される情報に基づいて動画像クリップ及び対応する音声クリップを作成する。
【００８９】
またホストコンピュータ１５は、動画像クリップ及び対応する音声クリップを作成した後、カーソルがマークインカーソル５２又はマークアウトカーソル５３上に合わせられてマウス１２のボタンが押されたことをステップＳＰ１０において確認すると、この後マウス１２及びキーボード１１を介して指定される情報に基づいて動画像クリップ及び対応する音声クリップを変更及び又は削除する。
【００９０】
さらにホストコンピュータ１５は、動画像クリップ及び対応する音声クリップを作成した後、カーソルがタイムラインウインド５６のタイムカーソルホーム位置ボタン６６上に合わせられてマウス１２がクリックされたことをステップＳＰ１１において確認すると、この後マウス１２を介して指定される情報に基づいてタイムライン内に表示させた全ての動画像クリップ及び対応する音声クリップを順次再生させる。
【００９１】
さらにホストコンピュータ１５は、このようにして動画像クリップ及び音声クリップが作成された後、カーソルがメニューバー３１のファイル選択領域３１Ａ上に合わせられてマウス１２がクリックされたことをステップＳＰ１２において確認すると、この後マウス１２を介して指定される情報に基づいて動画像クリップ及び対応する音声クリップに関する編集リストを外部記憶装置２２に格納する。
【００９２】
そしてホストコンピュータ１５は、この後ステップＳＰ１３に進んでカーソルが再びビデオブラウザウインド３５のマークイン／アウトボタン５１上に合わせられてマウス１２がクリックされたか否かを判断する。
【００９３】
ここでこのステップＳＰ１３において否定結果を得ることは、編集対象の動画像素材に対する編集処理が終了していないことを意味し、このときホストコンピュータ１５は、ステップＳＰ９、ステップＳＰ１０、ステップＳＰ１１及び又はステップＳＰ１２に戻り、この後このステップＳＰ１３において肯定結果を得るまでの間、ステップＳＰ９、ステップＳＰ１０、ステップＳＰ１１及び又はステップＳＰ１２に応じた処理を実行する。
【００９４】
またこのステップＳＰ１３において否定結果を得ることは、編集対象の動画像素材に対する一連の編集処理が終了したことを意味し、このときホストコンピュータ１５は、ステップＳＰ１４に進んでこの編集モードを終了し、この後ステップＳＰ１５に進んでこの編集処理手順ＲＴ１を終了する。
【００９５】
（３−２）素材再生処理手順
ここで実際上ホストコンピュータ１５は、上述した編集処理手順ＲＴ１のステップＳＰ６では、図１０に示す素材再生処理手順ＲＴ２に従って、まずステップＳＰ２０においてこの素材再生処理手順ＲＴ２を開始し、続くステップＳＰ２１に進んでカーソルが通常再生ボタン４２Ｅ上に合わせられてマウス１２がクリックされたか否かを判断する。
【００９６】
ここでホストコンピュータ１５は、このステップＳＰ２１において肯定結果を得ると、続くステップＳＰ２２に進んで通常再生モードに移る。
【００９７】
そしてホストコンピュータ１５は、この状態においてステップＳＰ２３に進んで外部記憶装置２２に対応する圧縮符号化された動画像データＤ１を読み出させ、これをイメージプロセッサ２１に与えて復号化させ、得られた動画像データＤ１に基づいて縮小画面データ形成部２１Ｈにより表示画像データを生成させた後、これを第３のＶＲＡＭ２４に書き込ませることにより、編集画面３０において素材プレビュウインド４０の素材表示ウインド４１に動画像データＤ１に基づく動画像を通常再生速度で表示させると共に、タイムコード表示部４３にこの動画像データＤ１に付加されたタイムコードを表示させる。
【００９８】
またホストコンピュータ１５は、このとき通常再生ボタン４２Ｅに加えて、カーソルが他の第１の駒送りボタン４２Ａ、スチル再生ボタン４２Ｂ及び又は第２の駒送りボタン４２Ｃ上に合わせられてマウス１２がクリックされた場合には、外部記憶装置２２を制御して対応する動作を実行させる。
【００９９】
因みにホストコンピュータ１５は、このとき外部記憶装置２２に対応する圧縮符号化された音声データＤ２を読み出させ、これをイメージプロセッサ２１に与えることにより復号化させ、得られた音声データＤ２をディジタル・アナログ変換回路４８を介してオーディオ信号Ｓ３Ａ〜Ｓ３Ｎ、Ｓ４Ａ〜Ｓ４Ｎに変換させてスピーカ４９に送出させることにより当該スピーカ４９からこのオーディオ信号Ｓ３Ａ〜Ｓ３Ｎ、Ｓ４Ａ〜Ｓ４Ｎに基づく音声を放音させる。
【０１００】
そしてホストコンピュータ１５は、やがてカーソルが停止ボタン４２Ｄ上に合わせられてマウス１２がクリックされたことをステップＳＰ２４において確認すると、外部記憶装置２２に圧縮符号化された動画像データＤ１の読み出しを停止させると共に、所定の画像データを読み出させ、これをイメージプロセッサ２１に与えて表示画像データを生成させた後、これを第３のＶＲＡＭ２４に書き込ませることにより素材表示ウインド４０における動画像の表示を停止させる。
【０１０１】
この後ホストコンピュータ１５は、カーソルが素材プレビュウインド４０のクローズボタン４４上に合わせられてマウス１２がクリックされたことをステップＳＰ２５において確認すると、外部記憶装置２２を制御して所定の画像データを読み出させ、これをイメージプロセッサ２１に与えて表示画像データを生成させた後、これを第３のＶＲＡＭ２４に書き込ませることにより、モニタ２６に素材プレビュウインド４０を閉じた編集画面３０（図５）を表示させ、この後ステップＳＰ２６に進んでこの素材再生処理手順ＲＴ２を終了する。
【０１０２】
一方ホストコンピュータ１５は、上述したステップＳＰ２１において否定結果を得ると、ステップＳＰ２７に進んでカーソルがビデオブラウザ再生ボタン４２Ｆ上に合わせられてマウス１２がクリックされたか否かを判断する。
【０１０３】
そしてホストコンピュータ１５は、このステップＳＰ２７において否定結果を得ると、この後ステップＳＰ２１に戻り、当該ステップＳＰ２１又はステップＳＰ２７において肯定結果を得るまでの間、このステップＳＰ２１−ＳＰ２７−ＳＰ２１の処理を繰り返す。
【０１０４】
またホストコンピュータ１５は、やがてこのステップＳＰ２７において肯定結果を得ると、続くステップＳＰ２８に進んで高速再生モードに移る。
【０１０５】
そしてホストコンピュータ１５は、この状態においてステップＳＰ２９に進んで外部記憶装置２２に対応するビデオブラウザの画像データを読み出させ、これをイメージプロセッサ２１に与えて縮小画面データ形成部２１Ｈにより表示画像データを生成させた後、これを第３のＶＲＡＭ２４に書き込ませることにより素材プレビュウインド４０の素材表示ウインド４１内にビデオブラウザ画像を表示させると共に、タイムコード表示部４３に動画像データＤ１に付加されたタイムコードをビデオブラウザ画像に応じて順次飛び越して表示させる。
【０１０６】
またホストコンピュータ１５は、このときビデオブラウザ再生ボタン４２Ｆに加えて、カーソルが他の第１の駒送りボタン４２Ａ、スチル再生ボタン４２Ｂ及び又は第２の駒送りボタン４２Ｃ上に合わせられてマウス１２がクリックされた場合には、外部記憶装置２２を制御してビデオブラウザ画像に対する巻き戻し方向への駒送り再生、巻き戻し方向及び通常再生方向へのスチル再生及び又は通常再生方向への駒送り再生を実行させる。
【０１０７】
因みにホストコンピュータ１５は、このとき外部記憶装置２２に対応する圧縮符号化された音声データＤ２をビデオブラウザ画像に応じて間欠的に読み出させ、これをイメージプロセッサ２１に与えることにより復号化させ、得られた音声データＤ２をディジタル・アナログ変換回路４８を介して間欠的なオーディオ信号Ｓ３Ａ〜Ｓ３Ｎ、Ｓ４Ａ〜Ｓ４Ｎに変換させてスピーカ４９に送出させることにより当該スピーカ４９からオーディオ信号Ｓ３Ａ〜Ｓ３Ｎ、Ｓ４Ａ〜Ｓ４Ｎに基づくこの間欠的な音声を放音させる。
【０１０８】
そしてホストコンピュータ１５は、この状態においてステップＳＰ２４に進んで上述と同様にカーソルが停止ボタン４２Ｄ上に合わせられてマウス１２がクリックされることを待ち受ける。
【０１０９】
（３−３）クリップ作成処理手順
またこのホストコンピュータ１５は、上述した編集処理手順ＲＴ１のステップＳＰ９では、図１１に示すクリップ作成処理手順ＲＴ３に従って、まずステップＳＰ３０においてこのクリップ作成処理手順ＲＴ３を開始し、続くステップＳＰ３１に進んでカーソルがビデオブラウザウインド３５内に表示させたビデオブラウザ３６Ａ〜３６Ｄの所望する位置に合わせられてマウス１２の左ボタンがクリックされたことを確認すると、マークイン点が指定されたと判断する。
【０１１０】
そしてホストコンピュータ１５は、外部記憶装置２２に対応する画像データを読み出させ、この画像データに基づいてイメージプロセッサ２１により表示画像データを生成させ、これを第３のＶＲＡＭ２４に書き込ませることにより、ビデオブラウザウインド３５の対応するビデオブラウザ３６Ａ〜３６Ｄの指定された位置にマークインカーソル５２を表示させると共に、当該マークイン点が指定された位置に対応するタイムコードを表示させる。
【０１１１】
次いでホストコンピュータ１５は、ステップＳＰ３２に進んで編集画面３０においてカーソルがビデオブラウザウインド３５内に表示させたビデオブラウザ３６Ａ〜３６Ｄの所望する位置に合わせられてマウス１２の右ボタンがクリックされたことを確認すると、マークアウト点が指定されたと判断する。
【０１１２】
そしてホストコンピュータ１５は、外部記憶装置２２に対応する画像データを読み出させ、この画像データに基づいてイメージプロセッサ２１により表示画像データを生成させ、これを第３のＶＲＡＭ２４に書き込ませることにより、ビデオブラウザウインド３５の対応するビデオブラウザ３６Ａ〜３６Ｄの指定された位置にマークアウトカーソル５３を表示させると共に、当該マークアウト点が指定された位置に対応するタイムコードを表示させる。
【０１１３】
続いてホストコンピュータ１５は、ステップＳＰ３３に進んでカーソルがビデオブラウザウインド３５のアドボタン５４上に合わせられてマウス１２がクリックされたことを確認すると、上述したステップＳＰ３１及びＳＰ３２において指定されたマークイン点及びマークアウト点間を動画像クリップとして確定すると共に、対応する音声部分を音声クリップとして確定する。
【０１１４】
そしてホストコンピュータ１５は、外部記憶装置２２に指定されたマークイン点のタイムコードのフレーム画像の画像データと、マークイン点及びマークアウト点のタイムコードとを読み出させ、この画像データ及びタイムコードに基づいてイメージプロセッサ２１により表示画像データを生成させ、これを第３のＶＲＡＭ２４に書き込ませることにより、タイムラインウインド５６において、ベースビデオタイムライン５７に動画像クリップに応じた枠５５Ａ〜５５Ｃを表示させると共に、当該動画像クリップに対応させてベースオーディオタイムライン５９に対応する音声クリップの枠５８Ａ〜５８Ｃを表示させ、またデュレーション表示部６０に当該タイムラインウインド５６に表示させた全ての動画像クリップの全体の長さをタイムコードで表示させる。
【０１１５】
またホストコンピュータ１５は、ステップＳＰ３４に進んでクリップ表示ウインド６１内のクリップウインド６２に確定した動画像クリップの先頭のフレーム画像（マークイン点のタイムコードのフレーム画像）を表示させると共に、当該クリップ表示ウインド６１内のデュレーション表示部６３にこの動画像クリップの長さをタイムコードで表示させる。
【０１１６】
これに加えてホストコンピュータ１５は、このときカーソルがクリップ名表示部６４上に合わせられてマウス１２がクリックされると、対応する動画像クリップのクリップ名を入力し得る状態にし、この状態においてキーボード１１を介してクリップ名が入力されると、当該入力されたクリップ名に基づいてイメージプロセッサ２１により表示画像データを生成させ、これを第３のＶＲＡＭ２４に書き込ませることにより、クリップ表示ウインド６１において対応するクリップ名表示部６４にこのクリップ名を表示させ、この後ステップＳＰ３５に進んでこのクリップ作成処理手順ＲＴ３を終了する。
【０１１７】
（３−４）クリップ変更削除処理手順
さらにホストコンピュータ１５は、上述した編集処理手順ＲＴ１のステップＳＰ１０では、図１２に示すクリップ変更削除処理手順ＲＴ４に従って、まずステップＳＰ４０においてこのクリップ変更削除処理手順ＲＴ４を開始した後、ステップＳＰ４１に進んでカーソルがビデオブラウザウインド３５内に表示させたマークインカーソル５２又はマークアウトカーソル５３上に合わせられてマウス１２のボタンが押されたままの状態を確認するとクリップ変更モードに移る。
【０１１８】
この状態においてホストコンピュータ１５は、ステップＳＰ４２に進んでこのマウス１２のボタンが押されたままの状態でカーソルが移動すると、このカーソルの移動に応動して外部記憶装置２２及びイメージプロセッサ２１を制御し、指定されたマークインカーソル５２又はマークアウトカーソル５３をカーソルに追従させて移動させ、この後マウス１２のボタンが離されたことを確認すると、その位置にマークインカーソル５２又はマークアウトカーソル５３を位置させ（ドラッグアンドドロップ）、かくしてマークイン点及び又はマークアウト点の位置を変更する。
【０１１９】
そしてホストコンピュータ１５は、この後カーソルがビデオブラウザウインド３５のアドボタン５４上に合わせられてマウス１２がクリックされるとこの変更内容を確定し、これに応じて外部記憶装置２２に変更されたマークイン点のタイムコード及びフレーム画像の画像データ、又は変更されたマークアウト点のタイムコードを読み出させ、これらマークイン点のタイムコード及び画像データ、又はマークアウト点のタイムコードに基づいてイメージプロセッサ２１により表示画像データを生成させ、これを第３のＶＲＡＭ２４に書き込ませることにより、ビデオブラウザウインド３５において、対応するマークイン点及び又はマークアウト点のタイムコードの表示を変更すると共に、タイムラインウインド５６において、対応する動画像クリップ及び音声クリップの枠５５Ａ〜５５Ｃ及び５８Ａ〜５８Ｃの長さを変更すると共に、デュレーション表示部６０のタイムコードの表示を変更する。
【０１２０】
またホストコンピュータ１５は、このときクリップ表示ウインド６１の対応するクリップウインド６２内に表示させていたフレーム画像を変更したマークイン点のタイムコードのフレーム画像に変更すると共に、デュレーション表示部６３のタイムコードの表示を変更する。
【０１２１】
そしてホストコンピュータ１５は、この後ステップＳＰ４３に進んでこのクリップ変更削除処理手順ＲＴ４を終了する。
【０１２２】
一方ホストコンピュータ１５は、ステップＳＰ４０に続いてステップＳＰ４４においてカーソルがビデオブラウザウインド３５内に表示させたマークインカーソル５２又はマークアウトカーソル５３上に合わせられてマウス１２がクリックされたことを確認するとクリップ削除モードに移る。
【０１２３】
そしてホストコンピュータ１５は、この状態においてステップＳＰ４５に進んでキーボード１１のデリートキーが押されたことを確認すると、これに応じて外部記憶装置２２及びイメージプロセッサ２１を制御することによりこの指定されたマークインカーソル５２又はマークアウトカーソル５３に対応する動画像クリップ及び音声クリップを削除し、かくしてビデオブラウザウインド３５内の対応するマークインカーソル５２又はマークアウトカーソル５３と、タイムラインウインド５６内の対応する動画像クリップ及び対応する音声クリップの枠５５Ａ〜５５Ｃ及び５８Ａ〜５８Ｃと、クリップ表示ウインド６１内の対応するマークイン点のタイムコードのフレーム画像、タイムコード及びクリップ名を消去し、この後ステップＳＰ４３に進む。
【０１２４】
因みにホストコンピュータ１５は、上述したステップＳＰ４４においてカーソルがクリップ表示ウインド６１内のフレーム画像を表示させた任意のクリップウインド６２上に合わせられてマウス１２がクリックされたことを確認してもクリップ削除モードに移り、続くステップＳＰ４５において上述と同様にキーボード１１のデリートキーが押されたことを確認すると、対応する動画像クリップ及び音声クリップを削除する。
【０１２５】
（３−５）クリップ再生処理手順
さらにホストコンピュータ１５は、上述した編集処理手順ＲＴ１のステップＳＰ１１では、図１３に示すクリップ再生処理手順ＲＴ５に従って、まずステップＳＰ５０においてこのクリップ再生処理手順ＲＴ５を開始し、続くステップＳＰ５１においてカーソルがタイムラインウインド５６のタイムカーソルホーム位置ボタン６６上に合わせられてクリックされたことを確認すると、外部記憶装置２２にタイムラインウインド５６に表示させた複数の動画像クリップのうち、最も左側に位置する動画像クリップに対応するビデオブラウザの先頭の１画面分の画像データを読み出させ、この画像データに基づいてイメージプロセッサ２１により表示画像データを生成させ、これを第３のＶＲＡＭ２４に書き込ませることにより、編集画面３０において、素材表示ウインド４１に対応するビデオブラウザ画像の先頭の１画面分の画像を表示させた素材プレビュウインド４０を表示させると共に、タイムラインウインド５６にタイムカーソル６７を表示させる。
【０１２６】
次いでホストコンピュータ１５は、ステップＳＰ５２に進んでカーソルが通常再生ボタン４２Ｅ又はビデオブラウザ再生ボタン４２Ｆ上に合わせられてマウス１２がクリックされたことを確認すると、これに応じて外部記憶装置２２を制御することにより当該外部記憶装置２２に対応する圧縮符号化された動画像データＤ１又はビデオブラウザの画像データを順次読み出させ、これをイメージプロセッサ２１に与えて所定の表示画像データを生成させた後、これを第３のＶＲＡＭ２４に書き込ませることにより、素材表示ウインド４１内にタイムラインウインド５６に表示させた動画像クリップに応じた動画像又はビデオフラウザ画像を順次表示させると共に、この動画像クリップの再生に従ってタイムカーソル６７を移動させる。
【０１２７】
続いてホストコンピュータ１５は、ステップＳＰ５３に進んでカーソルが素材プレビュウインド４０の停止ボタン４２Ｄ上に合わせられてマウス１２がクリックされたか否かを判断し、肯定結果を得ると、続くステップＳＰ５４に進んで外部記憶装置２２を制御することにより動画像クリップの再生を停止させ、かくして素材表示ウインド４１内に表示させた動画像又はビデオブラウザ画像の表示を停止させると共に、これに応じてタイムラインウインド５６のタイムカーソル６７の移動も停止させる。
【０１２８】
そしてホストコンピュータ１５は、この後ステップＳＰ５４に進んでカーソルが素材プレビュウインド４０のクローズボタン４４上に合わせられてマウス１２がクリックされたことを確認すると、外部記憶装置２２に対応する画像データを読み出させ、この画像データに基づいてイメージプロセッサ２１により所定の表示画像データを生成させ、これを第３のＶＲＡＭ２４に書き込ませることにより、モニタ２６に素材プレビュウインド４０を閉じ、かつタイムラインウインド５６においてタイムカーソル６７を消去した編集画面３０（図７）を表示させ、この後ステップＳＰ５６に進んでこのクリップ再生処理手順ＲＴ５を終了する。
【０１２９】
またホストコンピュータ１５は、上述したステップＳＰ５３において否定結果を得ている間は、外部記憶装置２２を制御することにより動画像クリップを順次再生させ、そしてカーソルが素材プレビュウインド４０の停止ボタン４２Ｄ上に合わせられてマウス１２がクリックされないままに、タイムラインウインド５６に表示させた全ての動画像クリップの再生が終了すると、ステップＳＰ５７に進んでこれら動画像クリップの再生を自動的に終了させ、この後ステップＳＰ５５に進む。
【０１３０】
（３−６）編集リスト保存処理手順
さらにホストコンピュータ１５は、上述した編集処理手順ＲＴ１のステップＳＰ１２では、図１４に示す編集リスト保存処理手順ＲＴ６に従って、まずステップＳＰ６０においてこの編集リスト保存処理手順ＲＴ６を開始し、続くステップＳＰ６１においてカーソルがメニューバー３１のファイル選択領域３１Ａ上に合わせられてマウス１２がクリックされたことを確認すると、外部記憶装置２２に対応する画像データを読み出させ、この画像データに基づいてイメージプロセッサ２１により表示画像データを生成させ、これを第３のＶＲＡＭ２４に書き込ませることにより、ファイルディレクトリウインド３２内にファイル選択メニュー３３を表示させる。
【０１３１】
そしてホストコンピュータ１５は、ステップＳＰ６２に進んでカーソルがこのファイル選択メニュー３３内のいずれかの新規保存選択領域３３Ｂ、上書き保存選択領域３３Ｃ又は別名保存選択領域３３Ｄ上に合わせられてマウス１２がクリックされたことを確認すると、タイムラインウインド５６に表示させた全ての動画像クリップ及び対応する音声クリップの各種情報からなる編集リストをファイル化し、これを外部記憶装置２２に与えることにより対応する保存方法（新規に保存、すでに格納されている編集リストに上書きするように保存、ファイル名を変更して保存）に従って格納し、この後ステップＳＰ６３に進んでこの編集リスト保存処理手順ＲＴ６を終了する。
【０１３２】
（４）本実施の形態の動作及び効果
以上の構成において、この画像編集装置１０では、素材の取込みモード時、指定されたビデオ信号供給源から供給されるビデオ信号Ｓ１Ａ〜Ｓ１Ｎ、Ｓ２Ａ〜Ｓ２Ｎ及び対応するオーディオ信号Ｓ３Ａ〜Ｓ３Ｎ、Ｓ４Ａ〜Ｓ４Ｎを取り込み、これらを順次ディジタル化した後、得られた動画像データＤ１及び音声データＤ２をイメージプロセッサ２１により圧縮符号化し、ファイル化して外部記憶装置２２に格納する。
【０１３３】
この際この画像編集装置１０では、イメージプロセッサ２１により動画像データＤ１についてサンプリング位置を順次移動させながらスリットデータを抽出し、当該スリットデータに基づいて得られるビデオブラウザの画像データをその動画像データファイルを管理するデータベースとして外部記憶装置２２に格納する。またこの画像編集装置１０では、イメージプロセッサ２１により音声データＤ２に加重平均処理を施し、得られた音声波形の波形データを対応する動画像データファイルのデータベースに格納する。
【０１３４】
この後この画像編集装置１０では、表示モードが選択されると、外部記憶装置２２に編集対象として選択指定された複数の動画像データファイルに対応するビデオブラウザの画像データ及び音声波形の波形データを再生させ、これら画像データ及び波形データに基づいて、図５に示すような複数のビデオブラウザ３６Ａ〜３６Ｄ及び音声波形３７Ａ〜３７Ｄが表示されてなる編集画面３０をモニタ２６に表示する。
【０１３５】
そしてこの画像編集装置１０では、この状態において編集モードが選択されると、マウス１２及びキーボード１１を介して指定入力される各種情報に基づいて動画像クリップ及び音声クリップを順次作成するようにして編集リストを作成することができる。
【０１３６】
従ってこの画像編集装置１０では、表示モード時、動画像から一次元的にサンプリングして得られたスリットデータに対応する一次元的な画像をつなぎ合わせた静止画でなる複数のビデオブラウザ３６Ａ〜３６Ｄをモニタ２６の一画面上に表示することから、これらビデオブラウザ３６Ａ〜３６Ｄによって編集対象の動画像素材の全体的な流れと内容とを容易に把握することができると共、これに加えて複数の動画像素材の内容を容易に比較することができ、その分動画像素材から動画像クリップを特定するための作業時間を大幅に短縮化することができる。
【０１３７】
またこの画像編集装置１０では、このとき複数のビデオブラウザ３６Ａ〜３６Ｄと共に、対応する音声波形３７Ａ〜３７Ｄも同時に表示することから、この音声波形３７Ａ〜３７Ｄに基づいて対応するビデオブラウザ３６Ａ〜３６Ｄの流れと内容をさらに把握し易くすることができる。
【０１３８】
そしてこの画像編集装置１０では、編集モード時、モニタ表示させた複数のビデオブラウザ３６Ａ〜３６Ｄ上でマークイン点及びマークアウト点を順次指定するような一連の特定作業を順次行うことができることから、外部記憶装置２２に対するアクセス回数を低減させることができ、表示モード時から編集モード時にかけて実行される編集作業の時間を大幅に短縮化することができる。
【０１３９】
またこの画像編集装置１０では、表示モード時及び編集モード時に、それぞれ動画像素材及び動画像クリップを確認するために必要に応じてビデオブラウザ画像を表示させることから、当該動画像素材及び動画像クリップの高速再生によりこれらの内容確認に要する時間を短縮化することができる。
【０１４０】
以上の構成によれば、素材の取込みモード時にビデオ信号Ｓ１Ａ〜Ｓ１Ｎ、Ｓ２Ａ〜Ｓ２Ｎに基づくビデオブラウザの画像データを生成しておき、表示モード時に複数のビデオブラウザ３６Ａ〜３６Ｄを同時にモニタ２６に表示させ、編集モード時にこれらビデオブラウザ３６Ａ〜３６Ｄ上でマークイン点及びマークアウト点を順次指定するようにしたことにより、複数の動画像素材の内容を把握して動画像クリップを作成するまでの作業時間を大幅に短縮化することができ、かくして編集作業の効率を格段的に向上し得る画像編集装置を実現することができる。
【０１４１】
（５）他の実施の形態
なお上述の実施の形態においては、編集モード時、上述した図８に示すようにクリップ表示ウインド６１のクリップウインド６２内に動画像クリップの先頭のフレーム画像を表示させるようにした場合について述べたが、本発明はこれに限らず、クリップ表示ウインドに動画像クリップの先頭及び最後尾のフレーム画像を表示させたり、最後尾のフレーム画像のみを表示させるように、この他動画像クリップに関する種々の情報を表示させるようにしても良い。
【０１４２】
因みにクリップ表示ウインド内に動画像クリップの先頭及び最後尾のフレーム画像を表示させるような場合には、図１５に示すように、クリップ表示ウインド７０の第１のクリップウインド７１内に動画像クリップの先頭のフレーム画像を表示させると共に、第２のクリップウインド７２内にこの動画像クリップの最後尾のフレーム画像を表示させ、これに加えてマークイン点表示部７３にマークイン点のタイムコードを表示させると共に、マークアウト点表示部７４にマークアウト点のタイムコードを表示させ、またデュレーシヨン表示部７５に動画像クリップの長さをタイムコードで表示させると共に、クリップ名表示部７６にクリップ名を表示させるようにしても良い。
【０１４３】
また上述の実施の形態においては、素材の取込みモード時、供給されたオーディオ信号Ｓ３Ａ〜Ｓ３Ｎ、Ｓ４Ａ〜Ｓ４Ｎをディジタル化し、得られた音声データＤ２を圧縮符号化し、ファイル化して外部記憶装置２２に格納するようにした場合について述べたが、本発明はこれに限らず、素材の取込みモード時、供給されたオーディオ信号Ｓ３Ａ〜Ｓ３Ｎ、Ｓ４Ａ〜Ｓ４Ｎをディジタル化し、得られた音声データＤ２をそのままファイル化して外部記憶装置２２に格納するようにしても良い。
【０１４４】
さらに上述の実施の形態においては、表示モード時、編集画面３０のビデオブラウザウインド３５内に複数のビデオブラウザ３６Ａ〜３６Ｄを表示させるようにした場合について述べたが、本発明はこれに限らず、イメージプロセッサ２１及び外部記憶装置２２の機能を拡張し、表示モード時、編集画面内に例えば素材プレビュウインドのような動画像又はビデオブラウザ画像を表示し得る複数の表示部を表示させると共に、これら各表示部内に編集対象として選択指定した動画像素材に対応する動画像及び又はビデオブラウザ画像を同時に表示させ、これにより複数の動画像素材の内容を把握させるようにしても良い。
【０１４５】
さらに上述の実施の形態においては、２次元表示される一連の動画像データＤ１からスリットデータをサンプリングする際、画面の右端から左端に向けてサンプリング位置を順次移動させるようにした場合について述べたが、本発明はこれに限らず、画面の左端から右端に向けてサンプリング位置を順次移動させたり、又は画面の一隅部から対角線上の他隅部に向けてサンプリング位置を順次移動させるようにしても良く、サンプリング位置の移動方向としては、この他種々の方向を適用することができる。
【０１４６】
さらに上述の実施の形態においては、編集対象の複数の画像を一画面上に表示する表示手段を、ホストコンピュータ１５、イメージプロセッサ２１の縮小画面データ形成部２１Ｈ、第３のＶＲＡＭ２４、ディジタル・アナログ変換回路２５及びモニタ２６によって構成するようにした場合について述べたが、本発明はこれに限らず、この他種々の構成を適用することができる。
【０１４７】
さらに上述の実施の形態においては、表示手段により表示された各画像上で編集開始点と編集終了点とを順次指定し得る編集点指定手段を、キーボード１１、マウス１２、ホストコンピュータ１５、イメージプロセッサ２１の縮小画面データ形成部２１Ｈ、第３のＶＲＡＭ２４、ディジタル・アナログ変換回路２５及びモニタ２６によって構成するようにした場合について述べたが、本発明はこれに限らず、この他種々の構成を適用することができる。
【０１４８】
さらに上述の実施の形態においては、２次元表示される一連の画像に応じた動画像データをサンプリング位置を一の方向に順次移動させながら他の方向に１次元的にサンプリングして得られるデータに基づいて静止画像の画像データを作成するデータ作成手段として、イメージプロセッサ２１を適用するようにした場合について述べたが、本発明はこれに限らず、２次元表示される一連の画像に応じた動画像データをサンプリング位置を一の方向に順次移動させながら他の方向に１次元的にサンプリングして得られるデータに基づいて静止画像の画像データを作成することができれば、この他種々のデータ作成手段を適用するようにしても良い。
【図面の簡単な説明】
【０１４９】
【図１】ビデオブラウザの説明に供する概念図である。
【図２】本発明による画像編集装置の構成の一実施の形態を示すブロック図である。
【図３】編集画面を示す略線図である。
【図４】編集画面を示す略線図である。
【図５】編集画面を示す略線図である。
【図６】編集画面を示す略線図である。
【図７】編集画面を示す略線図である。
【図８】クリップ表示ウインドを示す略線図である。
【図９】編集処理手順を示すフローチャートである。
【図１０】素材再生処理手順を示すフローチャートである。
【図１１】クリップ作成処理手順を示すフローチャートである。
【図１２】クリップ変更削除処理手順を示すフローチャートである。
【図１３】クリップ再生処理手順を示すフローチャートである。
【図１４】編集リスト保存処理手順を示すフローチャートである。
【図１５】他の実施の形態によるクリップ表示ウインドを示す略線図である。
【符号の説明】
【０１５０】
４Ａ、４Ｂ、３６Ａ〜３６Ｄ……ビデオブラウザ、１０……画像編集装置、１１……キーボード、１２……マウス、１５……ホストコンピュータ、２１……イメージプロセッサ、２２……外部記憶装置、３０……編集画面、３７Ａ〜３７Ｄ……音声波形、Ｄ１……動画像データ、Ｄ２……音声データ、ＲＴ１……編集処理手順、ＲＴ２……素材再生処理手順、ＲＴ３……クリップ作成処理手順、ＲＴ４……クリップ変更削除処理手順、ＲＴ５……クリップ再生処理手順、ＲＴ５……編集リスト保存処理手順。
【図１】
2008182765.tif 000004
【図２】
2008182765.tif 000005
【図３】
2008182765.tif 000006
【図４】
2008182765.tif 000007
【図５】
2008182765.tif 000008
【図６】
2008182765.tif 000009
【図７】
2008182765.tif 000010
【図８】
2008182765.tif 000011
【図９】
2008182765.tif 000012
【図１０】
2008182765.tif 000013
【図１１】
2008182765.tif 000014
【図１２】
2008182765.tif 000015
【図１３】
2008182765.tif 000016
【図１４】
2008182765.tif 000017
【図１５】
2008182765.tif 000018